(57)【要約】　　　（修正有）【課題】一般に採用されている板厚の素材によりディスク装置のシャーシケースを構成するにあたり、構造的手段によりこのシャーシケースを薄型化し、以てディスク装置の薄型化を実現する。【解決手段】記録媒体Ｄを装填したディスクトレイ１０１をシャーシケース内で前進後退させてロード／アンロードするようにしたディスク装置であり、前記シャーシケースを構成するベースシャーシ１および／またはカバーシャーシ２の前記ディスクトレイ１０１の上下方向における最大突出部に対応する位置に開口部を形成するとともに、この開口部の前端に肉薄の封止部１ｃ・２ｃを形成する。【選択図】　　図１０
2004022005.tif 000002
【特許請求の範囲】
【請求項１】
記録媒体を装填したディスクトレイをシャーシケース内で前進後退させてロード／アンロードするようにしたディスク装置であり、
前記シャーシケースを構成するベースシャーシおよび／またはカバーシャーシの前記ディスクトレイの上下方向における最大突出部に対応する位置に開口部を形成するとともに、この開口部の前端に肉薄の封止部を形成したことを特徴とするディスク装置。
【請求項２】
肉薄の封止部をプレス加工処理により形成したことを特徴とする請求項１記載のディスク装置。
【請求項３】
肉薄の封止部を別部材の一体化により形成したことを特徴とする請求項１記載のディスク装置。
【発明の詳細な説明】
【０００１】
【発明の属する技術分野】
本発明は、記録媒体として普及しているＣＤ（Ｃｏｍｐａｃｔ　Ｄｉｓｃ）あるいはＤＶＤ（Ｄｉｇｉｔａｌ　Ｖｅｒｓａｔｉｌｅ　Ｄｉｓｃ）などの光ディスクをドライブするディスク装置に関する。
【０００２】
【従来の技術】
一般にパーソナルコンピュータ（以下、パソコンという）などの機器本体には光ディスクをドライブするディスク装置が内蔵され、一体化されており、光ディスクによる情報の記録再生が行われる。図１２はこのようなディスク装置を内蔵したノート型パソコンの外観を示すもので、通常、この場合のディスク装置は、スイッチ操作あるいはパソコン本体からの指令によりディスクトレイ１０１がポップアウトし、さらにパソコンの使用者がディスクトレイ１０１を引き出し、光ディスクを装填するようにしている。
【０００３】
図１３は、特にノート型パソコンに多く採用されているディスク装置の外観を示すもので、同図に示すごとくディスクトレイ１０１の中央に、直下に配したスピンドルモータの駆動軸に固定されたターンテーブル１０２が配置され、このターンテーブル１０２で光ディスクＤの中心孔をクランプし、回転力を伝達するようにしている。また、光ピックアップを主体に構成したヘッドユニット１０３は、ディスクトレイに形成されたスリット１０１ａ内を半径方向に移動し、光ディスクＤへの情報の記録再生を行うようにしている。そして、このように構成されているディスクトレイ１０１は、ガイドレール１０４に案内されてシャーシケース１０５内に収まる。
【０００４】
前記シャーシケース１０５は、図１４に示すごとくベースシャーシ１０５ａとカバーシャーシ１０５ｂとからなり、ベースシャーシ１０５ａの開口をカバーシャーシが覆い、ネジ止めされる。そして、ベースシャーシ１０５ａとカバーシャーシ１０５ｂとにより形成された空間をディスクトレイ１０１がガイドレール１０４に案内されて前進後退し、このディスクトレイ１０１がシャーシケース１０５に完全に収まったとき、このシャーシケースにより磁気ならびに静電気に対するシールドがなされる。
【０００５】
図１５は前記ディスクトレイ１０１の内部構造を示すもので、中央に光ディスクを回転駆動するスピンドルモータ１０６、ヘッドユニット１０３、およびこのヘッドユニット１０３を光ディスクの半径方向に移動するスレッドモータ１０７およびギヤユニット１０８　を主体に構成した駆動機構Ａが配置されている。また、この駆動機構Ａの後部側には半導体回路素子などの電子部品が実装された配線基板Ｐが配置され、ディスクトレイ１０１の前端角隅部にはイジェクト／ロック機構Ｂが配設されている。
【０００６】
このようにディスクトレイ１０１には各種の電気部品、機構部品が組み込まれており、薄型化を目指した構成である場合、図１６に示すごとくターンテーブル１０２および駆動機構Ａがディスクトレイ１０１から突出した状態となる。したがって、シャーシケース１０５の容積設計における上下方向の寸法は、ベースシャーシ１０５ａおよびカバーシャーシ１０５ｂの内壁面がターンテーブル１０２および駆動機構Ａと接触しない範囲であることが条件となる。
【０００７】
【発明が解決しようとする課題】
ところで、近年のノート型パソコンは可能な限りの薄型化、軽量化が望まれており、商品開発において重要な課題となっている。しかしながら、ノート型パソコンにおいて、例えば、本体の配線基板あるいはキーボードなどは容易に薄型化が可能となるが、駆動機構を備えるディスク装置の薄型化は容易ではなかった。
【０００８】
これは、特にターンテーブルの場合、光ディスクを確実にクランプするため必要最小限の高さ寸法が確保されなければならず、また、駆動機構（特にヘッドユニット１０３）は複数の微小な部品を組合せて構成されるため、精度の維持および耐久性を考慮すると、各機構部品をさらに小型化することに限界があった。このような現実の条件にもとづいて設計され、完成された従来のディスク装置は、特にその全体の厚さが設計上の限界に近い薄さとなっている。
【０００９】
このような実情のもとにおいて、さらにディスク装置を薄型化するための簡易な手段として、一般に採用されているアルミニウム、マグネシウムなどの軽金属より剛性が高く薄い鋼板を用いてシャーシケースを成型し、その板厚の減少による薄型化が一応可能と考え得る。しかしながら、鋼板を採用した場合は、軽金属を採用した場合と比較して約二倍の重量の増加となり、薄型化によるデメリットが生じてしまうことになる。また、薄い軽金属によりシャーシケースを構成することも考え得るが、耐久性および共振などの問題があり、好ましいものではない。
【００１０】
本発明は、かかる従来の問題に鑑みなされたものであり、一般に採用されている厚さの軽金属によりシャーシケースを構成するにあたり、構造的に薄型化を実現するようにしたもので、ディスク装置全体の薄型化を可能とするようにしたものである。
【００１１】
【課題を解決するための手段】
そこで本発明では、記録媒体を装填したディスクトレイをシャーシケース内で前進後退させてロード／アンロードするようにしたディスク装置であり、前記シャーシケースを構成するベースシャーシおよび／またはカバーシャーシの前記ディスクトレイの上下方向における最大突出部に対応する位置に開口部を形成するとともに、この開口部の前端に肉薄の封止部を形成するようにする。
【００１２】
また、上記構成において、肉薄の封止部をプレス加工処理または別部材の一体化により形成し、上記課題を解決する。
【００１３】
【発明の実施の形態】
以下、本発明の実施の形態を図にもとづいて詳細に説明する。
【００１４】
図１は、本発明により構成されたシャーシケースにおけるベースシャーシ１を示し、その外形は従来のベースシャーシと共通する。このベースシャーシ１の底板１ａには開口部１ｂが形成されており、その開口位置は、ディスクトレイの底面からの最大突出部に対応する位置に定める。そして、前記開口部１ｂはその前端の開放を封止すべく、封止部１ｃが形成されており、その厚さをベースシャーシ主体より肉薄となるようにしている。
【００１５】
前記封止部１ｃの形成は、図２に示すごとく開口部１ｂをプレス加工による打抜処理により除去し、さらに封止部１ｃをプレス加工による圧締処理により肉薄に形成して図４の断面図に示すごとく完成する。一方、図３に示す方法による場合は、開口部１ｂが一旦、底板１ａの開口端部まで形成され、この開口端部の裏面に形成した段部１ｄに封止部１ｃとなる別部材をスポット溶接などの適宜手段により固定し、図５の断面図に示すごとく完成する。この場合、封止部１ｃとする別部材は、ベースシャーシ主体と同一の素材、またはこれよりも剛性の高い素材を任意に選択し得る。なお、前記封止部１ｃを別部材の固定により形成した場合は、プレス加工による圧締処理の場合に比較してシャーシケースのひずみの発生を抑えることができる。
【００１６】
図６は、本発明により構成されたシャーシケースにおけるカバーシャーシ２を示し、その外形は従来のカバーシャーシと共通する。このカバーシャーシ２の天板２ａには開口部２ｂが形成されており、その開口位置は、ディスクトレイの表面からの最大突出部に対応する位置に定める。そして、前記開口部２ｂはその前端の開放を封止すべく、封止部２ｃが形成されており、その厚さをカバーシャーシ主体より肉薄となるようにしている。
【００１７】
前記封止部２ｃの形成は、前述のベースシャーシ１の封止部１ｃの形成と同様に、開口部２ｂをプレス加工による打抜処理により除去し、さらに封止部２ｃをプレス加工による圧締処理により肉薄に形成して図８の断面図に示すごとく完成する。一方、図７に示す方法による場合は、開口部２ｂが一旦、天板１ａの開口端部まで形成され、この開口端部の表面に形成した段部２ｄに封止部２ｃとなる別部材をスポット溶接などの適宜手段により固定し、図９に示すごとく完成する。
【００１８】
このようにして構成された本発明のベースシャーシとカバーシャーシによりディスク装置が完成された状態を示す図１０と、従来のベースシャーシとカバーシャーシによりディスク装置が完成された状態を示す図１１とを対比した結果を以下に説明する。なお、従来の構成と共通する部分については同一符号を付して説明する。
【００１９】
まず、図１１は従来のディスク装置の断面図であり、同図においてディスクトレイ１０１の上下方向における最大突出部はターンテーブル１０２と駆動機構Ａであり、その厚さがｔであるとき、この厚さｔを許容するベースシャーシ１０５ａとカバーシャーシ１０５ｂの内壁間の縦幅をｔ１とすると、ディスク装置全体の厚さの最大値はｔ２となる。
【００２０】
一方、図１０に示すごとく、本発明のベースシャーシ１とカバーシャーシ２によりディスク装置を完成すると、前記厚さｔを許容する縦幅ｔ１は、ベースシャーシ１とカバーシャーシ２に肉薄に形成した封止部１ｃ・２ｃの内壁間の縦幅となる。したがって、本発明により完成したディスク装置の厚さの最大値はｔ３となり、ｔ２＞ｔ３の関係が成立することから従来のディスク装置より薄型化を実現することができる。なお、ベースシャーシ１の開口部１ｂとカバーシャーシ２の開口部２ｂの前端は封止されているので構造上の剛性を低下することなく、また、開口部相当の質量を削減することができることにより、軽量化を同時に達成することができる。
【００２１】
【発明の効果】
以上詳細に説明したごとく、本発明の請求項１記載の発明によれば、ベースシャーシおよび／またはカバーシャーシのディスクトレイの上下方向における最大突出部に対応する位置に開口部を形成し、この開口部の前端に肉薄の封止部を形成したので、ディスク装置全体の厚さを薄くし、軽量とすることができる。
【００２２】
また、請求項２記載の発明により、プレス加工処理により封止部を肉薄に形成するようにしたので、生産性を向上することが可能となる。
【００２３】
さらに、請求項３記載の発明により、肉薄の封止部を別部材の一体化により形成するようにしたので、任意の材料を選択することができ、構造上の剛性を高くすることが可能となる。
【図面の簡単な説明】
【図１】本発明によるベースシャーシの斜視図である。
【図２】図１の成形工程を示す斜視図である。
【図３】本発明によるベースシャーシの他の成形工程を示す斜視図である。
【図４】図１のベースシャーシの断面図である。
【図５】図３のベースシャーシの断面図である。
【図６】本発明によるカバーシャーシの斜視図である。
【図７】本発明によるカバーシャーシの他の成形工程を示す斜視図である。
【図８】図６のカバーシャーシの断面図である。
【図９】図７のカバーシャーシの断面図である。
【図１０】本発明によるディスク装置の構造を説明するための断面図である。
【図１１】従来のディスク装置の構造を説明するための断面図である。
【図１２】ノート型パソコンの外観を示す斜視図である。
【図１３】ディスク装置の外観を示す斜視図である。
【図１４】シャーシケースの構成状態を示す斜視図である。
【図１５】ディスクトレイの構造を説明するための図である。
【図１６】ディスクトレイの動作態様を説明するための図である。
【符号の説明】
１・・・・・・ベースシャーシ
１ａ・・・・・底板
１ｂ・・・・・開口部
１ｃ・・・・・封止部
１ｄ・・・・・段部
２・・・・・・カバーシャーシ
２ａ・・・・・天板
２ｂ・・・・・開口部
２ｃ・・・・・封止部
２ｄ・・・・・段部
【図１】
2004022005.tif 000003
【図２】
2004022005.tif 000004
【図３】
2004022005.tif 000005
【図４】
2004022005.tif 000006
【図５】
2004022005.tif 000007
【図６】
2004022005.tif 000008
【図７】
2004022005.tif 000009
【図８】
2004022005.tif 000010
【図９】
2004022005.tif 000011
【図１０】
2004022005.tif 000012
【図１１】
2004022005.tif 000013
【図１２】
2004022005.tif 000014
【図１３】
2004022005.tif 000015
【図１４】
2004022005.tif 000016
【図１５】
2004022005.tif 000017
【図１６】
2004022005.tif 000018